(57)【特許請求の範囲】
【請求項１】
第１の出力装置における色再現に基づいて第２の出力装置の色再現目標値を生成する画像処理装置であって、
前記第１の出力装置の色域情報と前記第２の出力装置の色域情報を取得する色域情報取得部と、
前記色域情報取得部で取得された各色域情報と入力色信号の色情報とに基づいて前記第１の出力装置の色再現目標値を前記第２の出力装置の色域に対応するように修正することにより前記第２の出力装置の色再現目標値を生成する目標値生成部と
を備えたことを特徴とする画像処理装置。
【請求項２】
前記色域情報取得部で取得された各色域情報に基づき前記第１の出力装置の色域と前記第２の出力装置の色域との差分を算出する色域差分算出部をさらに備え、
前記目標値生成部は、前記色域差分算出部で算出された色域の差分と入力色信号の色情報とに基づいて前記第１の出力装置の色再現目標値を修正することにより前記第２の出力装置の色再現目標値を生成する請求項１に記載の画像処理装置。
【請求項３】
前記第１の出力装置の色再現目標値は、所定の管理値に対する前記第１の出力装置の出力値である請求項１または２に記載の画像処理装置。
【請求項４】
前記所定の管理値は、記憶色である請求項３に記載の画像処理装置。
【請求項５】
前記第１の出力装置および前記第２の出力装置は、プリンタまたはモニタから構成される請求項１〜４のいずれか一項に記載の画像処理装置。
【請求項６】
前記目標値生成部は、
前記第１の出力装置の色再現目標値を通る曲線を表す修正関数と前記色域差分算出部で算出された色域の差分に基づいて、前記第１の出力装置における再現色と近似した再現色を前記第２の出力装置により得るために必要な色再現目標値の修正量を算出し、
算出された前記修正量だけ前記第１の出力装置の色再現目標値を修正して前記第２の出力装置の色再現目標値を生成する請求項２〜５のいずれか一項に記載の画像処理装置。
【請求項７】
前記修正関数は、互いに異なる色域において再現色が近似するように予め設定された色再現目標値の関係を表す基準の修正関数を、前記第１の出力装置の色再現目標値に基づいて補正したものである請求項６に記載の画像処理装置。
【請求項８】
前記修正関数は、第１の出力装置の出力値または測色値に基づき、前記基準の修正関数を補正したものである請求項７に記載の画像処理装置。
【請求項９】
前記基準の修正関数は、心理物理実験により設定される請求項７または８に記載の画像処理装置。
【請求項１０】
第１の出力装置における色再現に基づいて第２の出力装置の色再現目標値を生成する画像処理装置であって、
互いに色域の異なる複数の前記第１の出力装置の色域情報と前記第２の出力装置の色域情報を取得する色域情報取得部と、
前記色域情報取得部で取得された各色域情報に基づいて、複数の前記第１の出力装置の色域と前記第２の出力装置の色域との差分をそれぞれ算出する色域差分算出部と、
前記色域差分算出部で算出された色域の差分に基づいて、前記第２の出力装置の色域との差分が最も小さい色域を有する前記第１の出力装置の色再現目標値を前記第２の出力装置の色域に対応するように修正することにより前記第２の出力装置の色再現目標値を生成する目標値生成部とを備えたことを特徴とする画像処理装置。
【請求項１１】
第１の出力装置における色再現に基づいて第２の出力装置の色再現目標値を生成する画像処理装置であって、
互いに色域の異なる複数の前記第１の出力装置の色域情報と、複数の前記第１の出力装置の色域に対して大きさが挟まれる関係にある色域を有する前記第２の出力装置の色域情報を取得する色域情報取得部と、
前記色域情報取得部で取得された各色域情報に基づいて、複数の前記第１の出力装置の色域と前記第２の出力装置の色域との差分をそれぞれ算出する色域差分算出部と、
前記色域差分算出部で算出された色域の差分に基づいて、前記第２の出力装置の色域を挟む色域を有する複数の前記第１の出力装置のうち、より大きい色域を有する前記第１の出力装置の色再現目標値を前記第２の出力装置の色域に対応するように修正することにより、前記第２の出力装置の色再現目標値を生成する目標値生成部とを備えたことを特徴とする画像処理装置。
【請求項１２】
前記目標値生成部は、前記色域差分算出部で算出された色域の差分と入力色信号の色信号とに基づいて、前記第１の出力装置の色再現目標値を修正する請求項１０または１１に記載の画像処理装置。
【請求項１３】
前記色域情報取得部は、
前記第１の出力装置および前記第２の出力装置からそれぞれプロファイルを読み込むプロファイル読み込み部と、
前記プロファイル読み込み部で読み込んだ前記第１の出力装置のプロファイルから前記第１の出力装置の色域情報を算出すると共に前記第２の出力装置のプロファイルから前記第２の出力装置の色域情報を算出する色域算出部と
を有する請求項１〜１２のいずれか一項に記載の画像処理装置。
【請求項１４】
前記色域情報取得部は、
前記第２の出力装置からプロファイルを読み込むプロファイル読み込み部と、
前記第１の出力装置に対応して予め設定された基準プロファイルから基準となる出力装置の色域情報を算出すると共に前記第２の出力装置のプロファイルから前記第２の出力装置の色域情報を算出する色域算出部と
を有する請求項１〜１２のいずれか一項に記載の画像処理装置。
【請求項１５】
第１の出力装置における色再現に基づいて第２の出力装置の色再現目標値を生成する画像処理装置であって、
前記第１の出力装置の色域情報と前記第２の出力装置の色域情報を取得する色域情報取得部と、
前記色域情報取得部で取得された各色域情報に基づいて前記第１の出力装置の色再現目標値を前記第２の出力装置の色域に対応するように修正することにより前記第２の出力装置の色再現目標値を生成する目標値生成部と
を備え
前記色域情報取得部は、
入力色信号に対応する再現色値と前記第１の出力装置の色再現目標値との差分に基づいて前記第１の出力装置のマッピングベクトルを算出するマッピングベクトル算出部と、
前記マッピングベクトル算出部で算出されたマッピングベクトルから前記第１の出力装置におけるマッピング特徴を取得するマッピング特徴解析部と、
前記第２の出力装置からプロファイルを読み込むプロファイル読み込み部と、
前記プロファイル読み込み部で読み込んだ前記第２の出力装置のプロファイルから前記第２の出力装置の色域情報を算出する色域算出部と
を有し、
前記目標値生成部は、前記マッピング特徴解析部で得られた前記第１の出力装置のマッピング特徴と前記色域算出部で算出された前記第２の出力装置の色域情報に基づいて前記第２の出力装置の色再現目標値を生成することを特徴とする画像処理装置。
【請求項１６】
前記目標値生成部は、前記第１の出力装置のマッピング特徴、前記第２の出力装置の色域情報、および前記第１の出力装置の色再現目標値を通る曲線を表す修正関数に基づいて、前記第１の出力装置における再現色と近似した再現色となるように前記第２の出力装置の色再現目標値を生成する請求項１５に記載の画像処理装置。
【請求項１７】
前記マッピング特徴解析部は、前記第１の出力装置のマッピングにおける重み付けの特徴を取得し、
前記目標値生成部は、前記マッピング特徴解析部で得られたマッピングの重みを加えて前記第１の出力装置の色再現目標値を修正することにより、前記第２の出力装置の色再現目標値を生成する請求項１５または１６に記載の画像処理装置。
【請求項１８】
前記マッピング特徴解析部は、前記マッピングベクトル算出部で算出されたマッピングベクトルの大きさが所定値より小さい固定領域と所定値以上のマッピング領域とを特定し、
前記目標値生成部は、前記固定領域に対しては前記第１の出力装置の色再現目標値を修正することなくそのまま前記第２の出力装置の色再現目標値とし、前記マッピング領域に対しては前記第１の出力装置の色再現目標値を修正することにより前記第２の出力装置の色再現目標値を生成する請求項１５〜１７のいずれか一項に記載の画像処理装置。
【請求項１９】
前記目標値生成部で生成された前記第２の出力装置の色再現目標値を用いて入力色信号に対する前記第２の出力装置の色再現目標値を表すＬＵＴを作成するＬＵＴ作成部をさらに備えた請求項１〜１８のいずれか一項に記載の画像処理装置。
【請求項２０】
前記ＬＵＴ作成部は、前記第１の出力装置の色再現目標値を表すＬＵＴを修正して前記第２の出力装置の色再現目標値を表すＬＵＴを作成する請求項１９に記載の画像処理装置。
【請求項２１】
前記第１の出力装置および前記第２の出力装置は、単一チャンネルの色域を有する請求項１〜２０のいずれか一項に記載の画像処理装置。
【請求項２２】
前記第１の出力装置および前記第２の出力装置は、複数チャンネルの色域を有する請求項１〜２１のいずれか一項に記載の画像処理装置。
【請求項２３】
第１の出力装置における色再現に基づいて第２の出力装置の色再現目標値を生成する方法であって、
前記第１の出力装置の色域情報と前記第２の出力装置の色域情報を取得し、
取得された各色域情報と入力色信号の色情報とに基づいて前記第１の出力装置の色再現目標値を前記第２の出力装置の色域に対応するように修正することにより前記第２の出力装置の色再現目標値を生成する
ことを特徴とする画像処理方法。
【請求項２４】
第１の出力装置における色再現に基づいて第２の出力装置の色再現目標値を生成する方法をコンピュータに実行させるための画像処理プログラムであって、
前記第１の出力装置の色域情報と前記第２の出力装置の色域情報を取得するステップと、
取得された各色域情報と入力色信号の色情報とに基づいて前記第１の出力装置の色再現目標値を前記第２の出力装置の色域に対応するように修正することにより前記第２の出力装置の色再現目標値を生成するステップと
を有することを特徴とする画像処理プログラム。
【請求項２５】
第１の出力装置における色再現に基づいて第２の出力装置の色再現目標値を生成する方法をコンピュータに実行させるための画像処理プログラムを格納する記録媒体であって、
前記画像処理プログラムが、
前記第１の出力装置の色域情報と前記第２の出力装置の色域情報を取得するステップと、
取得された各色域情報と入力色信号の色情報とに基づいて前記第１の出力装置の色再現目標値を前記第２の出力装置の色域に対応するように修正することにより前記第２の出力装置の色再現目標値を生成するステップと
を有することを特徴とする画像処理プログラム記録媒体。
【発明の詳細な説明】
【技術分野】
【０００１】
本発明は、画像処理装置及び方法に係り、特に、第１の出力装置における色再現に基づいて第２の出力装置の色再現目標値を生成する装置及び方法に関する。
また、本発明は、このような画像処理方法をコンピュータに実行させるためのプログラム、並びにプログラムを格納した記録媒体にも関している。
【背景技術】
【０００２】
プリンタ等の印刷用出力装置は、それぞれ異なる色再現範囲（色域）を有する。このため、共通の入力色信号に基づき色域の異なる第１の出力装置と第２の出力装置とでそれぞれ色再現を行う場合、例えば、初めに第１の出力装置で印刷（本刷）を行った後に第１の出力装置とは異なる第２の出力装置でさらに印刷（増刷）を行う場合等には、第１の出力装置における再現色と第２の出力装置における再現色とが互いに異なるおそれがあった。
【０００３】
そこで、例えば、特許文献１には、入力色信号に対する再現色値を第１の出力装置または第２の出力装置でそれぞれの色空間にマッピングする際に、入力色信号側の色域および出力装置側の色域に基づいて両者のマッピングを変更して色再現を近似させることが提案されている。
【先行技術文献】
【特許文献】
【０００４】
【特許文献１】特開２００３−２４４４６０号公報
【発明の概要】
【発明が解決しようとする課題】
【０００５】
しかしながら、第２の出力装置において色再現目標値を生成する時に第１の出力装置の色域は考慮されず、入力色信号側の色域と第２の出力装置の色域のみで色再現目標値が決定されており、第１の出力装置と異なる色域を持つ第２の出力装置へのマッピングによる色再現を第１の出力装置の色再現に近似できないおそれがある。
【０００６】
本発明は、このような従来の問題点を解消するためになされたもので、第２の出力装置において第１の出力装置の色再現に近似し且つ第２の出力装置の色域を活用した色再現を行うことができる画像処理装置および方法を提供することを目的とする。
また、本発明は、このような画像処理方法をコンピュータに実行させるためのプログラム、およびプログラムを格納した記録媒体を提供することも目的としている。
【課題を解決するための手段】
【０００７】
上記目的を達成するために、本発明に係る画像処理装置は、第１の出力装置における色再現に基づいて第２の出力装置の色再現目標値を生成する画像処理装置であって、前記第１の出力装置の色域情報と前記第２の出力装置の色域情報を取得する色域情報取得部と、前記色域情報取得部で取得された各色域情報と入力色信号の色情報とに基づいて前記第１の出力装置の色再現目標値を前記第２の出力装置の色域に対応するように修正することにより前記第２の出力装置の色再現目標値を生成する目標値生成部とを備えたものである。
【０００８】
ここで、前記色域情報取得部で取得された各色域情報に基づき前記第１の出力装置の色域と前記第２の出力装置の色域との差分を算出する色域差分算出部をさらに備え、前記目標値生成部は、前記色域差分算出部で算出された色域の差分と入力色信号の色情報とに基づいて前記第１の出力装置の色再現目標値を修正することにより前記第２の出力装置の色再現目標値を生成することができる。
また、前記第１の出力装置の色再現目標値は、所定の管理値に対する前記第１の出力装置の出力値であるのが好ましい。また、前記所定の管理値は、記憶色であるのが好ましい。
また、前記第１の出力装置および前記第２の出力装置は、プリンタまたはモニタから構成することができる。
【０００９】
また、前記目標値生成部は、前記第１の出力装置の色再現目標値を通る曲線を表す修正関数と前記色域差分算出部で算出された色域の差分に基づいて、前記第１の出力装置における再現色と近似した再現色を前記第２の出力装置により得るために必要な色再現目標値の修正量を算出し、算出された前記修正量だけ前記第１の出力装置の色再現目標値を修正して前記第２の出力装置の色再現目標値を生成することができる。
【００１０】
また、前記修正関数は、互いに異なる色域において再現色が近似するように予め設定された色再現目標値の関係を表す基準の修正関数を、前記第１の出力装置の色再現目標値に基づいて補正したものであるのが好ましい。また、前記修正関数は、第１の出力装置の出力値または測色値に基づき、前記基準の修正関数を補正したものであるのが好ましい。
また、前記基準の修正関数は、心理物理実験により設定することができる。
【００１２】
本発明に係る画像処理装置は、第１の出力装置における色再現に基づいて第２の出力装置の色再現目標値を生成する画像処理装置であって、互いに色域の異なる複数の前記第１の出力装置の色域情報と前記第２の出力装置の色域情報を取得する色域情報取得部と、前記色域情報取得部で取得された各色域情報に基づいて、複数の前記第１の出力装置の色域と前記第２の出力装置の色域との差分をそれぞれ算出する色域差分算出部と、前記色域差分算出部で算出された色域の差分に基づいて、前記第２の出力装置の色域との差分が最も小さい色域を有する前記第１の出力装置の色再現目標値を前記第２の出力装置の色域に対応するように修正することにより前記第２の出力装置の色再現目標値を生成する目標値生成部とを備えたものである。
また、本発明に係る画像処理装置は、第１の出力装置における色再現に基づいて第２の出力装置の色再現目標値を生成する画像処理装置であって、互いに色域の異なる複数の前記第１の出力装置の色域情報と、複数の前記第１の出力装置の色域に対して大きさが挟まれる関係にある色域を有する前記第２の出力装置の色域情報を取得する色域情報取得部と、前記色域情報取得部で取得された各色域情報に基づいて、複数の前記第１の出力装置の色域と前記第２の出力装置の色域との差分をそれぞれ算出する色域差分算出部と、前記色域差分算出部で算出された色域の差分に基づいて、前記第２の出力装置の色域を挟む色域を有する複数の前記第１の出力装置のうち、より大きい色域を有する前記第１の出力装置の色再現目標値を前記第２の出力装置の色域に対応するように修正することにより、前記第２の出力装置の色再現目標値を生成する目標値生成部とを備えたものである。
また、前記目標値生成部は、前記色域差分算出部で算出された色域の差分と入力色信号の色信号とに基づいて、前記第１の出力装置の色再現目標値を修正するのが好ましい。
また、前記色域情報取得部は、前記第１の出力装置および前記第２の出力装置からそれぞれプロファイルを読み込むプロファイル読み込み部と、前記プロファイル読み込み部で読み込んだ前記第１の出力装置のプロファイルから前記第１の出力装置の色域情報を算出すると共に前記第２の出力装置のプロファイルから前記第２の出力装置の色域情報を算出する色域算出部とを有してもよい。
また、前記色域情報取得部は、前記第２の出力装置からプロファイルを読み込むプロファイル読み込み部と、前記第１の出力装置に対応して予め設定された基準プロファイルから基準となる出力装置の色域情報を算出すると共に前記第２の出力装置のプロファイルから前記第２の出力装置の色域情報を算出する色域算出部とを有してもよい。
【００１３】
本発明に係る画像処理装置は、第１の出力装置における色再現に基づいて第２の出力装置の色再現目標値を生成する画像処理装置であって、前記第１の出力装置の色域情報と前記第２の出力装置の色域情報を取得する色域情報取得部と、前記色域情報取得部で取得された各色域情報に基づいて前記第１の出力装置の色再現目標値を前記第２の出力装置の色域に対応するように修正することにより前記第２の出力装置の色再現目標値を生成する目標値生成部とを備え前記色域情報取得部は、入力色信号に対応する再現色値と前記第１の出力装置の色再現目標値との差分に基づいて前記第１の出力装置のマッピングベクトルを算出するマッピングベクトル算出部と、前記マッピングベクトル算出部で算出されたマッピングベクトルから前記第１の出力装置におけるマッピング特徴を取得するマッピング特徴解析部と、前記第２の出力装置からプロファイルを読み込むプロファイル読み込み部と、前記プロファイル読み込み部で読み込んだ前記第２の出力装置のプロファイルから前記第２の出力装置の色域情報を算出する色域算出部とを有し、前記目標値生成部は、前記マッピング特徴解析部で得られた前記第１の出力装置のマッピング特徴と前記色域算出部で算出された前記第２の出力装置の色域情報に基づいて前記第２の出力装置の色再現目標値を生成するものである。
【００１４】
ここで、前記目標値生成部は、前記第１の出力装置のマッピング特徴、前記第２の出力装置の色域情報、および前記第１の出力装置の色再現目標値を通る曲線を表す修正関数に基づいて、前記第１の出力装置における再現色と近似した再現色となるように前記第２の出力装置の色再現目標値を生成してもよい。
また、前記マッピング特徴解析部は、前記第１の出力装置のマッピングにおける重み付けの特徴を取得し、前記目標値生成部は、前記マッピング特徴解析部で得られたマッピングの重みを加えて前記第１の出力装置の色再現目標値を修正することにより、前記第２の出力装置の色再現目標値を生成してもよい。
また、前記マッピング特徴解析部は、前記マッピングベクトル算出部で算出されたマッピングベクトルの大きさが所定値より小さい固定領域と所定値以上のマッピング領域とを特定し、前記目標値生成部は、前記固定領域に対しては前記第１の出力装置の色再現目標値を修正することなくそのまま前記第２の出力装置の色再現目標値とし、前記マッピング領域に対しては前記第１の出力装置の色再現目標値を修正することにより前記第２の出力装置の色再現目標値を生成するのが好ましい。
【００１５】
また、前記目標値生成部で生成された前記第２の出力装置の色再現目標値を用いて入力色信号に対する前記第２の出力装置の色再現目標値を表すＬＵＴを作成するＬＵＴ作成部をさらに備えていることが好ましい。また、前記ＬＵＴ作成部は、前記第１の出力装置の色再現目標値を表すＬＵＴを修正して前記第２の出力装置の色再現目標値を表すＬＵＴを作成するのが好ましい。
また、前記第１の出力装置および前記第２の出力装置は、単一チャンネルの色域を有することができる。
また、前記第１の出力装置および前記第２の出力装置は、複数チャンネルの色域を有してもよい。
【００１６】
本発明に係る画像処理方法は、第１の出力装置における色再現に基づいて第２の出力装置の色再現目標値を生成する方法であって、前記第１の出力装置の色域情報と前記第２の出力装置の色域情報を取得し、取得された各色域情報と入力色信号の色情報とに基づいて前記第１の出力装置の色再現目標値を前記第２の出力装置の色域に対応するように修正することにより前記第２の出力装置の色再現目標値を生成する方法である。
【００１７】
本発明に係る画像処理プログラムは、第１の出力装置における色再現に基づいて第２の出力装置の色再現目標値を生成する方法をコンピュータに実行させるための画像処理プログラムであって、前記第１の出力装置の色域情報と前記第２の出力装置の色域情報を取得するステップと、取得された各色域情報と入力色信号の色情報とに基づいて前記第１の出力装置の色再現目標値を前記第２の出力装置の色域に対応するように修正することにより前記第２の出力装置の色再現目標値を生成するステップとを有するものである。
また、本発明に係る画像処理プログラム記憶媒体は、第１の出力装置における色再現に基づいて第２の出力装置の色再現目標値を生成する方法をコンピュータに実行させるための画像処理プログラムを格納する記録媒体であって、前記画像処理プログラムが、前記第１の出力装置の色域情報と前記第２の出力装置の色域情報を取得するステップと、取得された各色域情報と入力色信号の色情報とに基づいて前記第１の出力装置の色再現目標値を前記第２の出力装置の色域に対応するように修正することにより前記第２の出力装置の色再現目標値を生成するステップとを有するものである。
【発明の効果】
【００１８】
本発明によれば、第２の出力装置において第１の出力装置の色再現に近似し且つ第２の出力装置の色域を活用した色再現を行うことができる。また、すでに出力した出力装置に対して出力後に第１の出力装置の設定をすると共に第２の出力装置を設定し、第２の出力装置において第１の出力装置の色再現に近似した色再現を行うこともできる。さらに、複数の出力装置に対しても予め第１および第２の出力装置の設定をしておく必要がなく、一旦出力した後に複数の出力装置の中から第１の出力装置と第２の出力装置を設定して、第２の出力装置において第１の出力装置の色再現に近似した色再現を行うことができる。
【図面の簡単な説明】
【００１９】
【図１】本発明の実施形態１に係る画像処理装置の構成を表すブロック図である。
【図２】実施形態１における第２の目標値を生成する方法を示す図である。
【図３】実施形態１の変形例に係る画像処理装置の構成を表すブロック図である。
【図４】実施形態１の他の変形例に係る画像処理装置の構成を表すブロック図である。
【図５】実施形態２に係る画像処理装置の構成を表すブロック図である。
【図６】実施形態２における第２の目標値を生成する方法を示す図である。
【図７】実施形態３に係る画像処理装置の一部構成を表すブロック図である。
【図８】実施形態４に係る画像処理装置の一部構成を表すブロック図である。
【図９】実施形態４における固定領域とマッピング領域の関係を示す図である。
【図１０】実施形態５に係る画像処理装置の構成を表すブロック図である。
【図１１】実施形態５の変形例に係る画像処理装置の構成を表すブロック図である。
【図１２】実施形態６に係る画像処理装置の構成を表すブロック図である。
【図１３】実施形態７に係る画像処理装置の構成を表すブロック図である。
【図１４】実施形態７の変形例に係る画像処理装置の構成を表すブロック図である。
【図１５】実施形態８に係る画像処理装置の構成を表すブロック図である。
【図１６】実施形態９に係る画像処理装置の構成を表すブロック図である。
【発明を実施するための形態】
【００２０】
以下に、添付の図面に示す好適な実施形態に基づいて、この発明を詳細に説明する。
【００２１】
実施形態１
図１に、本発明の実施形態１に係る画像処理装置１の構成を示す。画像処理装置１は、第１の出力装置２および第２の出力装置３と接続された色域情報取得部４を有する。
色域情報取得部４は、プロファイル読み込み部５ａおよび５ｂと、色域算出部６ａおよび６ｂとを有する。プロファイル読み込み部５ａは第１の出力装置２と、プロファイル読み込み部５ｂは第２の出力装置３とそれぞれ接続されており、プロファイル読み込み部５ａは第１の出力装置２のプロファイルを読み込み、プロファイル読み込み部５ｂは第２の出力装置３のプロファイルを読み込む。ここで、プロファイルには、色域情報、マッピング情報など、入力色信号を第１の出力装置２または第２の出力装置３の色域に対応付けた色再現目標値（第１の目標値または第２の目標値）に変換するための情報が含まれる。
プロファイル読み込み部５ａに色域算出部６ａが、プロファイル読み込み部５ｂに色域算出部６ｂがそれぞれ接続されている。色域算出部６ａはプロファイル読み込み部５ａで読み込まれたプロファイルから第１の出力装置２の色域情報を算出し、色域算出部６ｂはプロファイル読み込み部５ｂで読み込まれたプロファイルから第２の出力装置３の色域情報を算出する。
【００２２】
色域算出部６ａおよび６ｂに、色域差分算出部７が接続されている。色域差分算出部７は、色域算出部６ａから入力された第１の出力装置２の色域情報と色域算出部６ｂから入力された第２の出力装置３の色域情報とに基づき、これら色域の差分情報を算出する。なお、色域差分情報とは、各色領域毎の第１の出力装置２の色域最外郭と第２の出力装置３の色域最外郭との間隔などの情報を含んでいる。
色域差分算出部７に、目標値生成部８が接続され、目標値生成部８には、メモリ９が接続されている。メモリ９には、第１の出力装置２における再現色と近似した再現色を出力するための修正関数が予め設定されて格納されている。目標値生成部８は、色域差分算出部７から入力された色域差分情報とメモリ９から読み込んだ修正関数に基づいて第１の出力装置２における色再現目標値すなわち第１の目標値を修正することにより、第２の出力装置３における色再現目標値である第２の目標値を生成する。
【００２３】
ここで、メモリ９に格納されている修正関数は、第１の目標値に対応しており、例えば図２に示されるように、第１の目標値を通る曲線として表すことができる。この曲線を「修正曲線」と呼ぶことにすると、目標値生成部８は、色域差分算出部７から入力した色域差分情報に基づき、第１の目標値を修正曲線上に沿って第１の出力装置２の色域と第２の出力装置３の色域の差分量より求められる修正量だけ移動修正することにより、第２の目標値を生成する。
【００２４】
次に、図１に示した実施形態１に係る画像処理装置１の動作を説明する。
まず、プロファイル読み込み部５ａにより第１の出力装置２のプロファイルが読み込まれ、色域算出部６ａに出力される。同様に、プロファイル読み込み部５ｂにより第２の出力装置３のプロファイルが読み込まれ、色域算出部６ｂに出力される。色域算出部６ａは、第１の出力装置２のプロファイルから第１の出力装置２の色域情報を算出し、算出した色域情報を色域差分算出部７に出力する。一方、色域算出部６ｂも第２の出力装置３のプロファイルから第２の出力装置３の色域情報を算出し、算出した色域情報を色域差分算出部７に出力する。
色域差分算出部７は、色域算出部６ａおよび６ｂからそれぞれ入力した第１の出力装置２の色域情報と第２の出力装置３の色域情報に基づいて、これら色域の差分情報を算出し、目標値生成部８に出力する。
【００２５】
目標値生成部８は、色域差分算出部７から色域差分情報を入力すると、メモリ９から修正関数を読み込み、図２に示すように、第１の目標値を修正曲線上に沿って第１の出力装置２の色域と第２の出力装置３の色域の差分量より求められる修正量だけ移動修正し、第２の目標値を生成する。
【００２６】
本実施形態の画像処理装置１によれば、第２の出力装置３において第１の出力装置２の色再現に近似し且つ第２の出力装置３の色域を活用した色再現を行うことができる。
【００２７】
なお、本実施形態において、プロファイル読み込み部５ａが第１の出力装置２のプロファイルを読み込まずに、基準とするプロファイルを予め設定しておいてもよい。例えば、図３に示す画像処理装置１ａのように、基準として予め設定された出力装置のプロファイルを基準プロファイルＰとして用いることにより色域情報取得部４ａの色域算出部６ａがこの基準プロファイルＰから基準となる出力装置の色域情報を算出してもよい。第２の出力装置３のプロファイルはプロファイル読み込み部５ｂにより読み込まれ、そのプロファイルを基に色域算出部６ｂが色域情報を算出する。このようにして得られた基準となる出力装置の色域情報と第２の出力装置３の色域情報に基づいて色域差分算出部７がこれら色域の差分情報を算出し目標値生成部８に出力する。目標値生成部８は、色域差分算出部７から入力した色域差分情報とメモリ９から読み込んだ修正関数に基づいて第１の目標値を修正することにより第２の目標値を生成する。
このように、実存する第１の出力装置２からプロファイルを読み込まなくても、基準となる出力装置を想定し、その基準プロファイルＰを用いて第２の出力装置３のための第２の目標値を生成することができる。
さらに、色域算出部６ａが基準プロファイルＰから基準となる出力装置の色域情報を算出する代わりに、予め基準となる色域情報を画像処理装置１ａ内に記憶させておくこともできる。この場合には、色域算出部６ａが不要となり、色域差分算出部７が予め記憶された基準の色域情報と色域算出部６ｂで算出された第２の出力装置３の色域情報に基づいて色域差分情報を算出すればよい。
【００２８】
また、図４に示されるように、この実施形態１において、目標値生成部８が、色域差分算出部７で算出された色域差分情報と、メモリ９に格納されている修正関数と、さらに入力色信号（リバーサル、ＤＳＣ撮影画像、ＤＶ撮影画像、コンピュータグラフィックスなどの画像信号）の色情報とに基づいて、第１の目標値を修正することにより、第２の目標値を生成することもできる。
このような構成とすれば、入力色信号の色情報に対応してさらに第１の出力装置の色再現に近似した色再現を行うことが可能となる。
なお、入力色信号の色情報としては、１つまたは複数の入力色信号に対する色情報、色分布範囲情報、または色空間情報（ＡｄｏｂｅＲＧＢ、ｓＲＧＢ、ＪａｐａｎＣｏｌｏｒなど）を用いることができる。
【００２９】
また、メモリ９に格納される修正関数としては、例えば、心理物理実験を実施することにより、第１の出力装置２における再現色と近似した再現色が得られるような関数を予め作成することができる。
また、第１の出力装置２および第２の出力装置３は、Ｋ，Ｃ，Ｍ，またはＹなどの単一チャンネルの色域を有してもよく、ＲＧＢ，ＷＲＧＢ，ＣＭＹ，ＣＭＹＫ，ＣＭＹＫＯＧＢ，またはＣＭＹＫＬＣＬＭなどの複数チャンネルの色域を有してもよい。
また、第１の出力装置２および第２の出力装置３には、プリンタまたはモニタなどの出力装置が利用できる。
【００３０】
実施形態２
図５に実施形態２に係る画像処理装置１１の構成を示す。この画像処理装置１１は、図１に示した実施形態１の画像処理装置１において、メモリ９の代わりにメモリ１２を目標値生成部８に接続すると共にこのメモリ１２に関数補正部１３を接続したものである。
メモリ１２には、所定の管理値に対する複数の標準的な色域における複数の色再現目標値に基づいて予め設定された基準関数が格納されている。この基準関数は、互いに異なった色域においても再現色が近似するような色再現目標値の関係を表すものであり、例えば、心理物理実験の実施により得ることができる。
関数補正部１３は、所定の管理値に対して第１の出力装置２を通して得られた出力値または測色値に基づきメモリ１２に格納されている基準関数を補正して、修正関数を得るものである。例えば、図６に示されるように、基準関数が基準曲線として表されるものとすると、第１の出力装置２の出力値（第１の目標値）を通るように基準曲線を移動することにより修正曲線を得る。この修正曲線を表す関数が修正関数となる。
【００３１】
まず、関数補正部１３は、所定の管理値に対する第１の出力装置２の出力値に基づいて、メモリ１２に格納されている基準関数を補正することにより、第１の出力装置２に対応した修正関数を作成し、メモリ１２に格納する。
次に、実施形態１と同様にして第１の出力装置２および第２の出力装置３のプロファイルがプロファイル読み込み部５ａおよび５ｂを介してそれぞれ色域算出部６ａおよび６ｂに入力される。色域算出部６ａおよび６ｂは、それぞれのプロファイルから色域情報を算出し、色域差算出部７がこれら色域情報から色域差分情報を算出して目標値生成部８に出力する。
【００３２】
目標値生成部８は、メモリ１２から修正関数を読み込み、図６に示すように、第１の目標値を修正曲線上に沿って第１の出力装置２の色域と第２の出力装置３の色域の差分量より求められる修正量だけ移動修正し、第２の目標値を生成する。
【００３３】
この実施形態２によれば、第１の出力装置２の出力値に基づいて修正関数を得るので、任意の出力装置を第１の出力装置２として用いても、第２の出力装置において第１の出力装置２の色再現に近似し且つ第２の出力装置３の色域を活用した色再現を行うことが可能となる。すなわち、複数の出力装置に対して予め第１の出力装置２および第２の出力装置３の設定をしておかなくても、例えば、いずれかの出力装置で印刷を行った後に第１の出力装置と第２の出力装置を設定して、第２の出力装置において容易に第１の出力装置２の色再現に近似した色再現を行うことができる。
【００３４】
実施形態３
図７に示されるように、実施形態２に係る画像処理装置１１において、第１の出力装置２のプロファイルを読み込むプロファイル読み込み部５ａに補間部１４を接続することができる。
目標値生成部８により修正される第１の目標値としては、マッピングの便宜上、第１の出力装置２の色域内の所定の格子点における目標値を用いることが好ましいが、管理値としては、色再現の向上を図るために、例えば記憶色（肌色、空の色など）を用いることが効果的である。
そこで、この実施形態３では、補間部１４が、プロファイル読み込み部５ａで読み込んだ第１の出力装置２のプロファイルを利用して管理値に対する出力値を得ると共に、この出力値を補間して第１の出力装置２の色域内の所定の格子点における第１の目標値を算出する。このようにして算出された第１の目標値を用いて、目標値生成部８は所定の格子点における第２の目標値を生成する。
【００３５】
この実施形態３によれば、記憶色等を管理値として使用することにより、第２の出力装置３において、さらに優れた色再現を実現することができる。
【００３６】
実施形態４
図８に示されるように、実施形態１〜３に係る画像処理装置において、目標値生成部８にマッピング解析部１５を接続することができる。マッピング解析部１５はマッピングベクトル算出部１６とマッピング特徴解析部１７とを有している。
マッピングベクトル算出部１６は、第１の出力装置２に入力される所定の管理値と、この管理値に対する出力値とに基づいて、出力値から管理値を減算することで、第１の出力装置２のマッピングベクトルを算出する。算出されたマッピングベクトルはマッピング特徴解析部１７に出力され、ここでマッピングベクトルから第１の出力装置２におけるマッピングの特徴が解析される。
【００３７】
マッピングの特徴としては、マッピングベクトルの大きさの分布、マッピングによる圧縮比率の分布等を挙げることができる。例えば、マッピング特徴解析部１７は、マッピングベクトルの大きさの分布を解析し、図９に示されるように、マッピングベクトルの大きさが所定値より小さい領域を固定領域と特定すると共に、所定値以上の領域をマッピング領域と特定する。特定された固定領域とマッピング領域の情報は目標値生成部８に出力される。目標値生成部８は、マッピング特徴解析部１７から入力した情報に基づき、固定領域内に存在する第１の目標値に対しては、マッピングベクトルが小さいので第１の出力装置２の色再現目標値を修正する必要はないと判断して、第１の目標値を修正することなくそのまま第２の目標値として出力し、一方、マッピング領域内に存在する第１の目標値に対しては、色域差分算出部７から入力した色域差分情報およびメモリ９、１２から読み込んだ修正関数に基づいて第１の目標値を修正することにより第２の目標値を生成する。
【００３８】
同様に、マッピングによる圧縮比率の大小に応じて、第１の目標値への修正の有無を選択するようにしてもよい。
また、マッピング特徴解析部１７は、マッピングベクトルにより第１の出力装置２のマッピングにおける彩度または明度の重み付けの特徴を解析し、目標値生成部８はその特徴に基づき、修正関数にマッピングの重みを加えて修正し第２の目標値を生成してもよい。
この実施形態４によれば、第１の出力装置２のマッピング特徴を解析することで、第１の出力装置２のマッピング特徴をより反映させた第２の目標値を生成することができると共に、第２の目標値を生成するための計算量を軽減することも可能となる。
【００３９】
実施形態５
図１０に実施形態５に係る画像処理装置２１の構成を示す。この画像処理装置２１は、実施形態１に係る画像処理装置１において、色域情報取得部４の代わりに色域情報取得部２２を用いたものであり、色域情報取得部２２は、実施形態１で用いられたプロファイル読み込み部５ｂおよび色域算出部６ｂと、実施形態４で用いられたマッピングベクトル算出部１６およびマッピング特徴解析部１７を有している。色域算出部６ｂとマッピング特徴解析部１７が目標値生成部８に接続されている。
【００４０】
まず、マッピングベクトル算出部１６は、第１の出力装置２に入力される所定の管理値と、この管理値に対する出力値とに基づいて、第１の出力装置２のマッピングベクトルを算出する。算出されたマッピングベクトルはマッピング特徴解析部１７に出力され、第１の出力装置２におけるマッピングの特徴が解析される。解析されたマッピング特徴は、目標値生成部８に出力される。一方、実施形態１と同様にして、第２の出力装置３のプロファイルがプロファイル読み込み部５ｂを介して色域算出部６ｂに入力され、色域算出部６ｂがプロファイルから色域情報を算出して目標値生成部８に出力する。
目標値生成部８は、第１の出力装置２のマッピング特徴と第２の出力装置３の色域情報に基づいて、第１の出力装置２における再現色と近似した再現色が得られるように第１の目標値を修正し、第２の目標値を生成する。
【００４１】
この実施形態５によれば、第１の出力装置２のマッピング特徴に基づいて第２の目標値を生成することで、第１の出力装置２のマッピング特徴をより反映させた第２の目標値を生成することができる。
【００４２】
なお、本実施形態において、目標値生成部８は、第１の出力装置２のマッピング特徴と第２の出力装置３の色域情報に加えて修正関数を用いることで第１の目標値を修正し、第２の目標値を生成してもよい。例えば、図１１に示す画像処理装置２１ａのように、修正関数を格納したメモリ９を新たに目標生成部８に接続することができる。
目標値生成部８は、マッピング特徴解析部１７で解析された第１の出力装置２のマッピング特徴と色域算出部６ｂで算出された第２の出力装置３の色域情報に基づいて、第１の目標値をメモリ９から読み込んだ修正関数に沿って移動修正し、第２の目標値を生成する。このようにして、第１の出力装置２における再現色と近似した再現色が得られるような第２の目標値を生成することができる。
【００４３】
また、第１の出力装置２のマッピング特徴を解析しているので、上述した実施形態４と同様に、固定領域とマッピング領域とを特定し、固定領域内に存在する第１の目標値に対しては、第１の目標値を修正することなくそのまま第２の目標値として出力し、一方、マッピング領域内に存在する第１の目標値に対しては、第１の目標値を修正して第２の目標値を生成することもできる。
【００４４】
実施形態６
図１２に実施形態６に係る画像処理装置３１の構成を示す。この実施形態６は、第１の出力装置２が有する第１のマッピングＬＵＴ３３を修正して第２の出力装置３で使用し得る第２のマッピングＬＵＴ３４を生成するためのもので、画像処理装置３１は、図１に示した実施形態１の画像処理装置１において、目標値生成部８の代わりにＬＵＴ作成部３２を色域差分算出部７およびメモリ９に接続したものである。
【００４５】
実施形態１と同様にして第１の出力装置２と第２の出力装置３のプロファイルが色域情報取得部４に読み込まれ、それぞれの色域情報から色域差分算出部７が色域差分情報を算出しＬＵＴ作成部３２に出力する。
ＬＵＴ作成部３２は、色域差分算出部７から入力された色域差分情報とメモリ９から読み込んだ修正関数とに基づき、第１のマッピングＬＵＴ３３に含まれる複数の第１の目標値をそれぞれ修正して第２の目標値を生成し、これらの第２の目標値を用いることにより、入力色信号に対する第２の出力装置３の目標値を表す第２のマッピングＬＵＴ３４を作成する。
この実施形態５によれば、第１の出力装置２の色再現に近似し且つ第２の出力装置３の色域を活用した色再現を行う第２のマッピングＬＵＴ３４を獲得することができる。
【００４６】
実施形態７
図１３に実施形態７に係る画像処理装置４１の構成を示す。この実施形態７は、複数の第１の出力装置から１つの第１の出力装置を選定して第２のマッピングＬＵＴ３４の生成を行うようにしたものである。図１３には、２つの第１の出力装置、すなわち、第１の出力装置２ａおよび２ｂが示されている。
画像処理装置４１は、第１の出力装置２ａおよび２ｂと第２の出力装置３に接続された色域情報取得部４２と、色域情報取得部４２に接続された色域差分算出部４３ａおよび４３ｂとを有している。画像処理装置４１は、さらに、色域差分算出部４３ａおよび４３ｂに接続された色域選定部４４と、色域選定部４４に接続されたＬＵＴ選定部４５を有している。色域選定部４４とＬＵＴ選定部４５に、図１２の実施形態６で使用されたＬＵＴ作成部３２が接続され、このＬＵＴ作成部３２にメモリ９が接続されている。
【００４７】
第１の出力装置２ａ、第１の出力装置２ｂ、および第２の出力装置３のプロファイルがそれぞれ色域情報取得部４２に読み込まれ、第１の出力装置２ａと第２の出力装置３の色域情報が一方の色域差分算出部４３ａに出力されると共に、第１の出力装置２ｂと第２の出力装置３の色域情報が他方の色域差分算出部４３ｂに出力される。色域差分算出部４３ａは、第１の出力装置２ａと第２の出力装置３の色域差分情報を算出し、色域差分算出部４３ｂは、第１の出力装置２ｂと第２の出力装置３の色域差分情報を算出して、それぞれ色域選定部４４に出力する。色域選定部４４は、それぞれの色域差分情報から色域差分量がより小さいものを選定し、選定した色域差分情報をＬＵＴ作成部３２とＬＵＴ選定部４５に出力する。
【００４８】
ＬＵＴ選定部４５は、色域選定部２０で選定された色域差分情報に基づいて、第１の出力装置２ａが有する第１のマッピングＬＵＴ３３ａと第１の出力装置２ｂが有する第１のマッピングＬＵＴ３３ｂのうちいずれか一方を選定して、ＬＵＴ作成部３２に出力する。すなわち、色域選定部４４により第１の出力装置２ａと第２の出力装置３の間の色域差分量がより小さいと判定された場合には、第１のマッピングＬＵＴ３３ａがＬＵＴ作成部３２に出力され、逆に、第１の出力装置２ｂと第２の出力装置３の間の色域差分量がより小さいと判定された場合には、第１のマッピングＬＵＴ３３ｂがＬＵＴ作成部３２に出力される。
【００４９】
ＬＵＴ作成部３２は、色域選定部４４から入力された色域差分情報とメモリ９から読み込んだ修正関数とに基づき、ＬＵＴ選定部４５から入力された第１のマッピングＬＵＴ３３ａまたは３３ｂを修正することにより第２のマッピングＬＵＴ３４を作成する。
なお、第１の出力装置は第１の出力装置２ａと第１の出力装置２ｂの２つに限られず、３つ以上であってもよい。
この実施形態７によれば、複数の第１の出力装置の色域のうち第２の出力装置の色域との差分が最も小さいものを選定することで、さらに色再現の優れた第２のマッピングＬＵＴを生成することができる。
【００５０】
なお、本実施形態において、色域選定部４４による色域差分算出部４３ａおよび４３ｂから入力された色域差分情報の選択は、ユーザの判断により行われてもよい。図１４に示す画像処理装置４１のように、ユーザが、例えば第１の出力装置２ａおよび２ｂと第２の出力装置３の色域情報、あるいは各出力装置の色再現等に基づいて、第１の出力装置２ａと第２の出力装置３の間の色域差分と第１の出力装置２ｂと第２の出力装置３の間の色域差分のうちの一方を選択し、選択結果を色域選定部４４に手動で入力することもできる。
色域選定部４４は、ユーザから入力された情報に基づき、色域差分算出部４３ａおよび４３ｂから入力された色域差分情報のうちいずれか一方を選定して、ＬＵＴ作成部３２とＬＵＴ選定部４５に出力する。ＬＵＴ選定部４５は、色域選定部２０から入力された色域差分情報に基づいて、第１の出力装置２ａが有する第１のマッピングＬＵＴ３３ａと第１の出力装置２ｂが有する第１のマッピングＬＵＴ３３ｂのうちいずれか一方を選定して、ＬＵＴ作成部３２に出力する。ＬＵＴ作成部３２は、色域選定部４４から入力された色域差分情報とメモリ９から読み込んだ修正関数とに基づき、ＬＵＴ選定部４５から入力された第１のマッピングＬＵＴ３３ａまたは３３ｂを修正することにより第２のマッピングＬＵＴ３４を作成する。
【００５１】
実施形態８
図１５に実施形態８に係る画像処理装置５１の構成を示す。この実施形態８は、第１の出力装置２ａおよび２ｂの色域情報と第２の出力装置３の色域情報のすべてを用いて第２のマッピングＬＵＴ３４の生成を行うようにしたもので、画像処理装置５１は、図１２に示した実施形態６の画像処理装置３１において、色域情報取得部４の代わりに色域情報取得部５２を用いると共に、色域差分算出部７の代わりに色域差分算出部５３を用いたものである。
なお、本実施形態において用いられる第１の出力装置２ａの色域と第１の出力装置２ｂの色域は第２の出力装置３の色域を挟む関係にあり、第１の出力装置２ａの色域が第２の出力装置３の色域より大きく、第１の出力装置２ｂの色域が第２の出力装置３の色域より小さいものとする。
【００５２】
第１の出力装置２ａ、第１の出力装置２ｂ、および第２の出力装置３のプロファイルがそれぞれ色域情報取得部５２に読み込まれ、それぞれの色域情報が色域差分算出部５３に出力される。色域差分算出部５３は、第１の出力装置２ａと第２の出力装置３の色域差分情報を算出すると共に第１の出力装置２ｂと第２の出力装置３の色域差分情報を算出し、それぞれの色域差分情報をＬＵＴ作成部３２に出力する。
【００５３】
ＬＵＴ作成部３２は、色域差分算出部５３から入力した双方の色域差分情報とメモリ９から読み込んだ修正関数とに基づいて、第２のマッピングＬＵＴ３４を作成する。このとき、ＬＵＴ作成部３２は、第２の出力装置３の色域を挟む色域を有する第１の出力装置２ａおよび２ｂのうち、より大きい色域を有する第１の出力装置２ａの第１のマッピングＬＵＴ３３ａを修正することにより第２のマッピングＬＵＴ３４を作成する。
【００５４】
この実施形態８によれば、第２の出力装置３の色域を挟む色域を有する第１の出力装置２ａおよび２ｂに対する一対の色域差分情報を用いると共に、より大きい色域を有する第１の出力装置２ａの第１のマッピングＬＵＴ３３ａを修正するため、色の潰れなどの発生を低下させて色再現の優れた第２のマッピングＬＵＴ３４を作成することができる。
【００５５】
実施形態９
図１６に実施形態９に係る画像処理装置６１の構成を示す。この実施形態９は、第１の出力装置２ａが有する第１のマッピングＬＵＴ３３ａと第１の出力装置２ｂが有する第１のマッピングＬＵＴ３３ｂとを用いて、修正関数を生成するようにしたものであり、画像処理装置６１は、図１５に示した実施形態８の画像処理装置５１において、さらに修正関数生成部６２を有するものである。
なお、本実施形態において用いられる第１の出力装置２ａの色域と第１の出力装置２ｂの色域は第２の出力装置３の色域を挟む関係にあり、第１の出力装置２ａの色域が第２の出力装置３の色域より大きく、第１の出力装置２ｂの色域が第２の出力装置３の色域より小さいものとする。
【００５６】
第１の出力装置２ａ、第１の出力装置２ｂ、および第２の出力装置３のプロファイルがそれぞれ色域情報取得部５２に読み込まれ、それぞれの色域情報が色域差分算出部５３に出力される。色域差分算出部５３は、第１の出力装置２ａと第２の出力装置３の色域差分情報を算出すると共に第１の出力装置２ｂと第２の出力装置３の色域差分情報を算出し、それぞれの色域差分情報をＬＵＴ作成部３２に出力する。
修正関数生成部６２は、第１の出力装置２ａが有する第１のマッピングＬＵＴ３３ａおよび第１の出力装置２ｂが有する第１のマッピングＬＵＴ３３ｂを用いることにより、第１の出力装置２ａにおける再現色と近似した再現色を出力するための修正関数を生成する。生成された修正関数は、メモリ９に格納される。
ＬＵＴ作成部３２は、色域差分算出部５３から入力した双方の色域差分情報とメモリ９から読み込んだ修正関数とに基づいて、第２のマッピングＬＵＴ３４を作成する。このとき、ＬＵＴ作成部３２は、第２の出力装置３の色域を挟む色域を有する第１の出力装置２ａおよび２ｂのうち、より大きい色域を有する第１の出力装置２ａの第１のマッピングＬＵＴ３３ａを修正することにより第２のマッピングＬＵＴ３４を作成する。
【００５７】
この実施形態９によれば、本刷などに使用される第１の出力装置２ａおよび２ｂの双方の第１のマッピングＬＵＴ３３ａおよび３３ｂに基づいて修正関数を生成するため、色再現の優れた第２のマッピングＬＵＴ３４を生成することができる。
【００５８】
なお、上述した各実施形態の画像処理装置は、例えば、ＣＰＵとメモリ等を備えたコンピュータにより構成することができる。
また、本発明の画像処理方法は、コンピュータに各処理を実行させるためのプログラムとして、ハードディスク、ＣＤ−ＲＯＭ等のコンピュータに読取可能な記録媒体に記録することができる。
【符号の説明】
【００５９】
１，１ａ，１１，２１，２１ａ，３１，４１，５１，６１  画像処理装置、２  第１の出力装置、２ａ，２ｂ  第１の出力装置、３  第２の出力装置、４，４ａ，２２，４２，５２  色域情報取得部、５ａ，５ｂ  プロファイル読み込み部、６ａ，６ｂ  色域算出部、７，４３ａ，４３ｂ，５３  色域差分算出部、８  目標値生成部、９，１２  メモリ、１３  関数補正部、１４  補間部、１５  マッピング解析部、１６  マッピングベクトル算出部、１７  マッピング特徴解析部、３２  ＬＵＴ作成部、３３，３３ａ，３３ｂ  第１のマッピングＬＵＴ、３４  第２のマッピングＬＵＴ、４４  色域選定部、４５  ＬＵＴ選定部、６２  修正関数生成部
【図１】
0005476150.tif 000002
【図２】
0005476150.tif 000003
【図３】
0005476150.tif 000004
【図４】
0005476150.tif 000005
【図５】
0005476150.tif 000006
【図６】
0005476150.tif 000007
【図７】
0005476150.tif 000008
【図８】
0005476150.tif 000009
【図９】
0005476150.tif 000010
【図１０】
0005476150.tif 000011
【図１１】
0005476150.tif 000012
【図１２】
0005476150.tif 000013
【図１３】
0005476150.tif 000014
【図１４】
0005476150.tif 000015
【図１５】
0005476150.tif 000016
【図１６】
0005476150.tif 000017